(57)【要約】【課題】流体噴射装置の電気的接続部の異物に対する保護性を高める技術を提供する。【解決手段】印刷装置１０は、キャリッジ２７を備える。キャリッジ２７はカートリッジ１００を装着可能なホルダー部２００を備えている。ホルダー部２００は、レバー部２３０と、コネクターユニット２５０と、配線基板２８０と、を備える。レバー部２３０は、カートリッジ１００の主係合部１２０に係合する。コネクターユニット２５０はカートリッジ１００の回路基板１３０に電気的に接続する。配線基板２８０はコネクターユニット２５０に電気的に接続する。レバー部２３０は矢印Ｚの方向においてコネクターユニット２５０の端子部裏面２５２側の各端子２７１〜２７９を覆っている。また、レバー部２３０の矢印Ｘの方向における幅は、コネクターユニット２５０の矢印Ｘの方向における幅よりも大きい。【選択図】図５
2016007791.tif 000002
【特許請求の範囲】
【請求項１】
流体噴射装置であって、
被係合部と、端子部と、を有する流体供給ユニットを配置可能なキャリッジユニットを備え、
前記キャリッジユニットは、
前記流体供給ユニットを配置可能な流体供給ユニット配置領域と、
前記流体供給ユニットの前記被係合部に対して係合可能な係合部と、
前記流体供給ユニットの前記端子部に電気的に接続可能なコネクターユニットと、
前記コネクターユニットに電気的に接続可能な電極部を有する配線基板と、
を備え、
前記コネクターユニットは、前記流体供給ユニットの前記端子部に電気的に接触する第１接点と、前記配線基板の前記電極部に電気的に接触する第２接点と、を含む導電部を有し、
前記係合部が前記被係合部に対して係合する方向を第１の方向とし、前記第１の方向と、前記コネクターユニットから前記流体供給ユニット配置領域に向かう方向と、に交差する方向を第２の方向としたときに、
前記係合部は、前記第１の方向において、少なくとも前記導電部の前記第２接点を覆っており、
前記係合部の前記第２の方向における幅は、前記コネクターユニットの前記第２の方向における幅よりも大きい、流体噴射装置。
【請求項２】
流体噴射装置であって、
被係合部と、端子部と、を有する流体供給ユニットと、
前記流体供給ユニットを配置可能なキャリッジユニットと、
を備え、
前記キャリッジユニットは、
前記流体供給ユニットを配置可能な流体供給ユニット配置領域と、
前記流体供給ユニットの前記被係合部に対して係合可能な係合部と、
前記流体供給ユニットの前記端子部に電気的に接続可能なコネクターユニットと、
前記コネクターユニットに電気的に接続可能な電極部を有する配線基板と、
を備え、
前記コネクターユニットは、前記流体供給ユニットの前記端子部に電気的に接触する第１接点と、前記配線基板の前記電極部に電気的に接触する第２接点と、を含む導電部を有し、
前記係合部が前記被係合部に対して係合する方向を第１の方向とし、前記第１の方向と、前記コネクターユニットから前記流体供給ユニット配置領域に向かう方向と、に交差する方向を第２の方向としたときに、
前記係合部は、前記第１の方向において、少なくとも前記導電部の前記第２接点を覆っており、
前記係合部の前記第２の方向における幅は、前記コネクターユニットの前記第２の方向における幅よりも大きい、流体噴射装置。
【請求項３】
請求項１または請求項２記載の流体噴射装置であって、
前記配線基板は、前記第１の方向において、前記係合部に近い位置に配置される第１端部と、前記係合部から離れた位置に配置される第２端部と、を有し、
前記電極部は、前記配線基板において、前記第２端部よりも前記第１端部に近い位置に設けられている、流体噴射装置。
【請求項４】
請求項１から請求項３のいずれか一項に記載の流体噴射装置であって、
前記コネクターユニットは、前記流体供給ユニット配置領域側を向く第１の面と、前記配線基板側を向く第２の面と、を有しており、
前記第１接点は前記第１の面に位置しており、前記第２接点は前記第２の面に位置しており、
前記第２の面は、前記第１の方向側を向くとともに前記第１の方向に対して傾斜している、流体噴射装置。
【請求項５】
請求項４記載の流体噴射装置であって、
前記導電部は、前記第１接点と前記第２接点との間に、前記第１接点と前記第２接点とを弾性変位可能に連結する弾性変形部を有しており、
前記第２接点は前記第１の方向において前記弾性変形部より前記係合部に近い位置に形成されている、流体噴射装置。
【請求項６】
請求項１から請求項５のいずれか一項に記載の流体噴射装置であって、
前記キャリッジユニットは、前記流体供給ユニット配置領域と前記配線基板との間に、前記キャリッジユニットの底壁から前記第１の方向に沿って突出している隔壁が設けられている、流体噴射装置。
【請求項７】
請求項１から請求項６のいずれか一項に記載の流体噴射装置であって、
前記係合部は、前記第２の方向における前記コネクターユニットの両側において、前記第１の方向に延びている第１と第２の脚部と、前記第１と第２の脚部の間に架設されている架橋部と、を有する、流体噴射装置。
【請求項８】
請求項１から請求項７のいずれか一項に記載の流体噴射装置であって、
前記流体供給ユニット配置領域に配置されている前記流体供給ユニットの前記被係合部は、前記第１の方向において前記配線基板の少なくとも一部を覆う、流体噴射装置。
【請求項９】
請求項１から請求項８のいずれか一項に記載の流体噴射装置であって、
前記流体供給ユニットは、
前記流体供給ユニット配置領域に配置される筐体と、
前記筐体に連通して、前記筐体内に流体を導入する流体導入管と、
を含む、流体噴射装置。
【請求項１０】
請求項９記載の流体噴射装置であって、
前記流体供給ユニットは、さらに、
前記流体導入管に連通する流体収容容器を含む、流体噴射装置。
【発明の詳細な説明】
【技術分野】
【０００１】
本発明は、流体噴射装置に関する。
【背景技術】
【０００２】
流体を噴射する流体噴射装置の一態様としては、例えば、インクジェットプリンター（以下、単に「プリンター」とも呼ぶ。）が知られている。プリンターは、印刷面に対してインク滴を吐出することによって画像を形成する。プリンターは、流体供給ユニットの一態様であるインクカートリッジ（以下、単に「カートリッジ」とも呼ぶ）を介してインクの供給を受ける。プリンターとカートリッジとはそれぞれ、互いに電気信号のやりとりをするための端子部などの電気的接続部を備えている（例えば、特許文献１，２等）。
【先行技術文献】
【特許文献】
【０００３】
【特許文献１】特開２０１４−０２８５００号公報
【特許文献２】特開２００８−９９３号公報
【発明の概要】
【発明が解決しようとする課題】
【０００４】
プリンターにおいては、カートリッジとの電気的接続性の低下を抑制するために、プリンターとカートリッジとの間の電気的接続部における異物に対する保護性を高めることが望まれている。
【課題を解決するための手段】
【０００５】
本発明は、プリンターに限らず、少なくとも流体噴射装置における上述の課題を解決するためになされたものであり、以下の形態として実現することが可能である。
【０００６】
［１］本発明の一形態によれば、流体噴射装置が提供される。この流体噴射装置は、キャリッジユニットを備えて良い。前記キャリッジユニットは、被係合部と端子部とを有する流体供給ユニットを配置可能であって良い。前記キャリッジユニットは、流体供給ユニット配置領域と、係合部と、コネクターユニットと、配線基板と、を備えて良い。流体供給ユニット配置領域は、前記流体供給ユニットを配置可能な領域であって良い。前記係合部は、前記流体供給ユニットの前記被係合部に対して係合可能であって良い。前記コネクターユニットは、前記流体供給ユニットの前記端子部に電気的に接続可能であって良い。前記配線基板は、前記コネクターユニットに電気的に接続可能な電極部を有して良い。前記コネクターユニットは、前記流体供給ユニットの前記端子部に電気的に接触する第１接点と、前記配線基板の前記電極部に電気的に接触する第２接点と、を含む導電部を有して良い。前記係合部が前記被係合部に対して係合する方向を第１の方向とし、前記第１の方向と、前記コネクターユニットから前記流体供給ユニット配置領域に向かう方向と、に交差する方向を第２の方向としたときに、前記係合部は、前記第１の方向において、少なくとも前記導電部の前記第２接点を覆っていて良い。前記係合部の前記第２の方向における幅は、前記コネクターユニットの前記第２の方向における幅よりも大きくて良い。この形態の流体噴射装置によれば、流体噴射装置と流体供給ユニットとの間の電気的接続部に対する異物の付着が係合部によって抑制される。なお、本明細書において、異物には、少なくとも、流体供給ユニットから漏洩した流体や、流体噴射装置の外部から侵入する液体、水蒸気、粉塵、油脂分、種々の化学物質などが含まれる。
【０００７】
［２］本発明の他の形態によれば、上記形態の流体噴射装置とは異なる態様の流体噴射装置が提供される。この形態の流体噴射装置は、流体供給ユニットと、キャリッジユニットと、を備えて良い。前記流体供給ユニットは、被係合部と、端子部と、を有して良い。前記キャリッジユニットは、前記流体供給ユニットを配置可能であって良い。前記キャリッジユニットは、流体供給ユニット配置領域と、係合部と、コネクターユニットと、配線基板と、を備えて良い。流体供給ユニット配置領域は、前記流体供給ユニットを配置可能な領域であって良い。前記係合部は、前記流体供給ユニットの前記被係合部に対して係合可能であって良い。前記コネクターユニットは、前記流体供給ユニットの前記端子部に電気的に接続可能であって良い。前記配線基板は、前記コネクターユニットに電気的に接続可能な電極部を有して良い。前記コネクターユニットは、前記流体供給ユニットの前記端子部に電気的に接触する第１接点と、前記配線基板の前記電極部に電気的に接触する第２接点と、を含む導電部を有して良い。前記係合部が前記被係合部に対して係合する方向を第１の方向とし、前記第１の方向と、前記コネクターユニットから前記流体供給ユニット配置領域に向かう方向と、に交差する方向を第２の方向としたときに、前記係合部は、前記第１の方向において、少なくとも前記導電部の前記第２接点を覆っていて良い。前記係合部の前記第２の方向における幅は、前記コネクターユニットの前記第２の方向における幅よりも大きくて良い。この形態の流体噴射装置によれば、流体噴射装置と流体供給ユニットとの間の電気的接続部に対する異物の付着が係合部によって抑制される。
【０００８】
［３］上記形態の流体噴射装置において、前記配線基板は、前記第１の方向において、前記係合部に近い位置に配置される第１端部と、前記係合部から離れた位置に配置される第２端部と、を有し、前記電極部は、前記配線基板において、前記第２端部よりも前記第１端部に近い位置に設けられて良い。この形態の流体噴射装置によれば、係合部から離れている第２端部側からの第２接点への異物の侵入が抑制されるため、第２接点の保護性がさらに高められる。
【０００９】
［４］上記形態の流体噴射装置において、前記コネクターユニットは、前記流体供給ユニット配置領域側を向く第１の面と、前記配線基板側を向く第２の面と、を有しており、前記第１接点は前記第１の面に位置しており、前記第２接点は前記第２の面に位置しており、前記第２の面は、前記第１の方向側を向くとともに前記第１の方向に対して傾斜していて良い。この形態の流体噴射装置によれば、コネクターユニットの第２の面が係合部とは反対側を向くとともに傾斜していることによって、係合部側から第２接点へと異物が侵入しにくくなる。従って、流体噴射装置と流体供給ユニットとの間の電気的接続部に対する保護性がさらに高められる。
【００１０】
［５］上記形態の流体噴射装置において、前記導電部は、前記第１接点と前記第２接点との間に、前記第１接点と前記第２接点とを弾性変位可能に連結する弾性変形部を有しており、前記第２接点は前記第１の方向において前記弾性変形部より前記係合部に近い位置に形成されていて良い。この形態の流体噴射装置によれば、弾性変形部によって第１接点と第２接点の電気的接続性を高められる。また、第２接点が弾性変形部より係合部に近い位置にあるため、第１の方向における係合部の反対側から第２接点へと侵入してくる異物に対する保護性が高められる。
【００１１】
［６］上記形態の流体噴射装置において、前記キャリッジユニットは、前記流体供給ユニット配置領域と前記配線基板との間に、前記キャリッジユニットの底壁から前記第１の方向に沿って突出している隔壁が設けられていて良い。この形態の流体噴射装置によれば、流体供給ユニット配置領域の流体が配線基板の方へと移動してしまうことが隔壁によって抑制される。従って、流体供給ユニット配置領域に不用意に発生してしまった流体などによってコネクターユニットと配線基板との間の接続性が低下してしまうことが抑制される。
【００１２】
［７］上記形態の流体噴射装置において、前記係合部は、前記第２の方向における前記コネクターユニットの両側において、前記第１の方向に延びている第１と第２の脚部と、前記第１と第２の脚部の間に架設されている架橋部と、を有して良い。この形態の流体噴射装置によれば、コネクターユニットが係合部と第１と第２の脚部によって囲まれるため、コネクターユニットに対する保護性が高められる。
【００１３】
［８］上記形態の流体噴射装置において、前記流体供給ユニット配置領域に配置されている前記流体供給ユニットの前記被係合部は、前記第１の方向において前記配線基板の少なくとも一部を覆って良い。この形態の流体噴射装置によれば、係合部と被係合部によって、配線基板に対する保護性がさらに高められる。
【００１４】
［９］上記形態の流体噴射装置において、前記流体供給ユニットは、前記流体供給ユニット配置領域に配置される筐体と、前記筐体に連通して、前記筐体内に流体を導入する流体導入管と、を含んで良い。この形態の流体噴射装置によれば、流体導入管によって筐体に流体が供給されるため、キャリッジユニットに対する流体供給ユニットの着脱回数を低減することができる。従って、流体供給ユニットの着脱に伴って、流体が不用意にコネクターユニットや配線基板などの電気的接続部に付着してしまうことが抑制される。
【００１５】
［１０］上記形態の流体噴射装置において、前記流体供給ユニットは、さらに、前記流体導入管に連通する流体収容容器を含んで良い。この形態の流体噴射装置によれば、流体収容容器から流体導入管を介してキャリッジユニットに流体を供給することができる。従って、キャリッジユニットに対する流体供給ユニットの着脱回数を低減することができ、流体供給ユニットの着脱に伴うコネクターユニットや配線基板などの電気的接続部への流体の付着が抑制される。
【００１６】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００１７】
本発明は、流体噴射装置以外の種々の形態で実現することも可能である。例えば、流体噴射装置が備えるキャリッジユニットや、流体供給ユニットを保持するホルダー部等の形態で実現することができる。また、本発明は、流体供給ユニットや、流体噴射装置と流体供給ユニットとの接続構造および接続方法、流体噴射装置と流体供給ユニットとの間の電気的接続部の保護構造および保護方法等の形態で実現することもできる。
【図面の簡単な説明】
【００１８】
【図１】印刷装置の外観構成を示す概略斜視図。
【図２】印刷装置が備える印刷機構部の外観構成を示す概略斜視図。
【図３】第１と第２のインクカートリッジが装着されている状態のキャリッジを示す概略斜視図。
【図４】ホルダー部を正面側から見たときの上方斜視図。
【図５】ホルダー部を背面側から見たときの上方斜視図。
【図６】ホルダー部の下方斜視図。
【図７】ホルダー部の分解斜視図。
【図８】ホルダー部の正面壁部に取り付けられている状態のレバー部とコネクターユニットと配線基板を背面側から見たときの上方斜視図。
【図９】レバー部の構成を説明するための概略図。
【図１０】コネクターユニットの後方側の面を示す概略斜視図。
【図１１】コネクターユニットの前方側の面を示す概略斜視図。
【図１２】コネクターユニットの概略断面図。
【図１３】配線基板の後方側の面を示す概略図。
【図１４】第１のカートリッジの上方斜視図。
【図１５】第１のカートリッジの下方斜視図。
【図１６】第１のカートリッジの概略断面図。
【図１７】回路基板における複数の端子の配列構成を示す概略図。
【図１８】第２のカートリッジの上方斜視図。
【図１９】第２のカートリッジの下方斜視図。
【図２０】レバー部による電気的接合部の保護を説明するための概略図。
【図２１】第１のカートリッジが装着されているときのホルダー部の正面壁部の近傍の部位における概略断面図。
【図２２】第２実施形態としての印刷装置の構成を示す概略図。
【発明を実施するための形態】
【００１９】
A．第１実施形態：
図１は、本発明の第１実施形態としての印刷装置１０の外観構成を示す概略斜視図である。図１には互いに直交する三方向を示す矢印Ｘ，Ｙ，Ｚが図示されている。矢印Ｘは、印刷装置１０の横方向（幅方向）に平行な左右方向を示しており、ユーザーが印刷装置１０に正対したときの左側から右側に向かう方向を示している。本実施形態では矢印Ｘの方向は印刷装置１０におけるキャリッジ２７の主走査方向と平行である（後述）。矢印Ｙは、印刷装置１０の前後方向に平行な方向を示しており、ユーザーが印刷装置１０に正対したときの後方側（背面側）から前方側（正面側）に向かう方向を示している。本実施形態では矢印Ｙの方向は副走査方向に一致する（後述）。矢印Ｚは、印刷装置１０の高さ方向を示しており、印刷装置１０が載置される載置面に対して垂直上方を示している。なお、本明細書の説明に用いられる他の各図においても、矢印Ｘ，Ｙ，Ｚが、適宜、図１と対応するように図示されている。また、本明細書において、「左」あるいは「右」と呼ぶときは、矢印Ｘの方向を基準とする方向を意味している。同様に、「前」あるいは「後」と呼ぶときは、印刷装置１０の矢印Ｙの方向を基準とする方向を意味しており、「上」あるいは「下」と呼ぶときは、印刷装置１０の矢印Ｚの方向を基準とする方向を意味している。
【００２０】
印刷装置１０は、流体噴射装置の一態様であるインクジェットプリンターである。印刷装置１０は、外部から供給される印刷データに応じて印刷用紙にインク滴を吐出することによって画像を形成する。印刷装置１０は、筐体１１と、給紙口１２と、上面カバー１３と、排紙口１４と、操作部１６と、を備える。筐体１１は印刷装置１０の印刷機構部（後述）を収容する外装部材である。給紙口１２は筐体１１の後方において上方に向かって開口するように設けられた開口部である。印刷媒体である印刷用紙は、給紙口１２を介して筐体１１の内部の本体部に供給される。
【００２１】
上面カバー１３は給紙口１２近傍において筐体１１に回動可能に取り付けられた板状部材である。上面カバー１３は開いた状態（図示されている状態）のときには、給紙口１２に印刷用紙を送り込むときのガイド板として機能し、閉じた状態のときには筐体１１の上面中央を被覆して保護する蓋部として機能する。排紙口１４は筐体１１の前面に設けられた開口部である。給紙口１２を介して筐体１１内部に送り込まれた印刷用紙は排紙口１４を介して外部に排出される。操作部１６は、ユーザーの操作を受け付けるボタンや、ユーザーに対して情報を表示する表示部を備える。操作部１６は、筐体１１の上面に設けられており、ユーザーは上面カバー１３が開いた状態のときに操作部１６にアクセスすることができる。
【００２２】
図２は印刷装置１０の筐体１１内から取り出された印刷機構部２０の外観構成を示す概略斜視図である。図２にはキャリッジ２７の移動軌跡が破線によって模式的に図示されている。印刷機構部２０は、制御部２１と、搬送部２２と、印刷部２３と、を備える。制御部２１は中央処理装置と主記憶装置とを備えるマイクロコンピューターによって構成されている。制御部２１は、操作部１６を介したユーザーの操作や外部のコンピューターからの指令に応じて印刷装置１０の各構成部を制御して印刷処理を実行する。
【００２３】
搬送部２２は、給紙口１２（図１）から導入された印刷用紙を、搬送ローラー２５の回動駆動によって、印刷機構部２０の内部において矢印Ｙの方向に向かって延びている搬送路（図示は省略）を介して排紙口１４まで搬送する。印刷装置１０のキャリッジ２７の下方では、紙送り方向である副走査方向は矢印Ｙの方向に一致する。
【００２４】
印刷部２３は、印刷用紙の搬送路上に配置されており、搬送部２２によって搬送されている印刷用紙に対する印刷を実行する。印刷部２３は、キャリッジ２７と、ガイドレール２８と、を備える。キャリッジ２７は、キャリッジユニットに相当する。本実施形態の印刷装置１０は、いわゆるオンキャリッジタイプであり、キャリッジ２７には、ホルダー部２００を介して２つのカートリッジ１００ａ，１００ｂが着脱可能に装着されている。
【００２５】
キャリッジ２７の下側にはインク滴を吐出する印刷ヘッド（図示は省略）が設けられている。印刷ヘッドは、インク流路と、インクを吐出するノズルと、インク吐出の駆動力を発生させる機構（例えばピエゾ方式の場合にはピエゾ素子、サーマル方式の場合にはヒーターなど）と、を有している。キャリッジ２７は、制御部２１の制御下において、矢印Ｘの方向に架設されているガイドレール２８に沿って往復移動しつつ、搬送部２２によって副走査方向に搬送されていく印刷用紙の紙面に向かってインク滴を吐出する。キャリッジ２７が往復移動する主走査方向は矢印Ｘの方向と平行である。
【００２６】
図３は、第１と第２のカートリッジ１００ａ，１００ｂが装着されている状態のキャリッジ２７を示す概略斜視図である。キャリッジ２７のホルダー部２００は、上方が開口している略直方体形状の箱体として構成されている。ホルダー部２００の内部には、第１と第２のカートリッジ１００ａ，１００ｂのそれぞれが、上面全体が上方に露出している状態で並列に収容されている。印刷ヘッドはホルダー部２００の下面に設けられている。印刷ヘッドはホルダー部２００の説明において参照される図６に図示されている。
【００２７】
第１と第２のカートリッジ１００ａ，１００ｂはそれぞれ略直方体形状を有している。第１とカートリッジ１００ａの長さ（矢印Ｙの方向の長さ）と高さ（矢印Ｚの方向の長さ）は第２のカートリッジ１００ｂとほぼ同じである。第１と第２のカートリッジ１００ａ，１００ｂは、長さと高さとがほぼ揃った状態でホルダー部２００に並列に収容される。詳細は後述するが、第１と第２のカートリッジ１００ａ，１００ｂの構成はほぼ共通している。以下の説明では、第１と第２のカートリッジ１００ａ，１００ｂを特に区別する必要がない場合には、「カートリッジ１００」と総称する。
【００２８】
カートリッジ１００は流体供給ユニットに相当し、印刷ヘッドに供給するためのインクを収容している。第１のカートリッジ１００ａは１種類の色インクを収容し、第２のカートリッジ１００ｂは種類が異なる複数の色インクを収容する。本実施形態では、第１のカートリッジ１００ａにはブラックの色インクが収容されており、第２のカートリッジ１００ｂにはシアンとイエローとマゼンタの色インクが収容されている。
【００２９】
ここで、カートリッジ１００は、印刷装置１０との間で電気信号のやりとりを実行する回路基板（後述）を有しており、ホルダー部２００とカートリッジ１００との間には、その電気的な接続のための電気的接続部が設けられている。本実施形態のホルダー部２００は、当該電気的接続部の保護性を高めるための構成を有している。以下では、ホルダー部２００の構成と、第１と第２のカートリッジ１００ａ，１００ｂのそれぞれの構成と、を順に説明し、その後にホルダー部２００とカートリッジ１００との間の電気的接続部を保護するための構成を説明する。
【００３０】
［ホルダー部の構成］
（ｉ）ホルダー部全体の構成
図４〜図７を参照してホルダー部２００の概略構成を説明する。図４はホルダー部２００を正面側の上方からみたときの上方斜視図である。図５はホルダー部２００を背面側からみたときの上方斜視図である。図６はホルダー部２００の下方斜視図である。図７はホルダー部２００の分解斜視図である。ホルダー部２００は、第１と第２のカートリッジ１００ａ，１００ｂが収容されるカートリッジ収容室２１０を有している（図４，図５）。カートリッジ収容室２１０は、流体供給ユニット配置領域に相当し、５つの壁部２０１〜２０５によって囲まれている（図４〜図６）。
【００３１】
底面壁部２０１は、第１と第２のカートリッジ１００ａ，１００ｂが載置されるカートリッジ収容室２１０の底面を構成している。正面壁部２０２および背面壁部２０３はそれぞれ、底面壁部２０１の正面側の端部および背面側の端部からほぼ垂直上方に延びており、カートリッジ収容室２１０の正面および背面を構成している。第１側面壁部２０４および第２側面壁部２０５はそれぞれ、底面壁部２０１の左側端部および右側端部からほぼ垂直上方に延びており、カートリッジ収容室２１０の左側面および右側面を構成している。
【００３２】
本実施形態では、正面壁部２０２と背面壁部２０３と第１側面壁部２０４と第２側面壁部２０５とは一体成形によって形成された略四角筒形状を有する外周壁部材２０６の各側壁によって構成されている（図７）。また、底面壁部２０１は、外周壁部材２０６とは別体として形成され、外周壁部材２０６の底面側開口部に配置されるプレート部材２０７によって構成されている。外周壁部材２０６の正面壁部２０２には、２つのレバー部２３０と、２つのコネクターユニット２５０と、配線基板２８０と、カバー部材３００とが、一体的に組み合わされて取り付けられる。
【００３３】
２つのレバー部２３０はそれぞれ同じ構成を有しており、矢印Ｘの方向に一列に配設されている（図４〜図６）。レバー部２３０は第１と第２のカートリッジ１００ａ，１００ｂのそれぞれに１つずつ対応するように設けられている。各レバー部２３０は、正面壁部２０２に対して、矢印Ｙの方向に回動移動可能に取り付けられている。レバー部２３０は回動移動によってカートリッジ１００の被係合部に係合する（詳細は後述）。なお、本明細書において「係合する」とは、対象物の移動方向が制限されるように当該対象物の所定の部位に係り合うことを意味する。
【００３４】
２つのコネクターユニット２５０はそれぞれ同じ構成を有しており、２つのレバー部２３０のそれぞれの下方に１つずつ配設されている。コネクターユニット２５０は、カートリッジ１００の回路基板（後述）と電気的に接続可能な端子部である。配線基板２８０は、各コネクターユニット２５０と印刷装置１０の電気系統とを電気的に接続する。カバー部材３００は、配線基板２８０と正面壁部２０２との間に配置されており、正面壁部２０２側からレバー部２３０とコネクターユニット２５０と配線基板２８０を一体的にまとめる。レバー部２３０と、コネクターユニット２５０と、配線基板２８０の構成および機能の詳細については後述する。
【００３５】
底面壁部２０１の下面には、上述した印刷ヘッド１９０が取り付けられている（図６）。底面壁部２０１の上面には、インク受入部２１１〜２１４が設けられている（図４，図５）。インク受入部２１１〜２１４には、各カートリッジ１００ａ，１００ｂのインク供給口（後述）が接続される。各カートリッジ１００ａ，１００ｂのインクは、インク受入部２１１〜２１４を介して印刷ヘッドのインク流路に導入される。各インク受入部２１１〜２１４の外周には、シール部２１５が設けられている。シール部２１５は、インクの経路に対する外気の侵入を抑制するとともに、インクの外部への漏洩を抑制する。
【００３６】
底面壁部２０１には、付勢機構２１７が設けられている。付勢機構２１７は、底面壁部２０１に載置されている各カートリッジ１００ａ，１００ｂをホルダー部２００から離間する方向（上方）に付勢する。本実施形態では、付勢機構２１７は、弦巻バネによって構成されている。付勢機構２１７によって、ホルダー部２００における各カートリッジ１００ａ，１００ｂの固定性が高められるとともに、その取り外しの際の操作性が高められている。
【００３７】
底面壁部２０１には、第１側面壁部２０４および第２側面壁部２０５に対して平行であり、底面壁部２０１からの高さが低い第１副壁部２２１および第２副壁部２２４が設けられている。第１副壁部２２１は、第１側面壁部２０４と第２側面壁部２０５とに隣り合う位置と、第１と第２のカートリッジ１００ａ，１００ｂのそれぞれが配置される領域の境界位置と、に設けられている。第２副壁部２２４は、第２のカートリッジ１００ｂが配置される領域において、第２と第３のインク室（後述）の境界位置に設けられている。第１副壁部２２１は、第１と第２のカートリッジ１００ａ，１００ｂの位置決め部として機能する。また、第１副壁部２２１と第２副壁部２２４とは、第１と第２のカートリッジ１００ａ，１００ｂの角部がインク受入部２１１〜２１４に衝突してしまうことを防止する衝突防止部として機能する。
【００３８】
底面壁部２０１には、背面壁部２０３に隣接する位置に背面壁部２０３に対して平行に延びる第３副壁部２２５が設けられている。第３副壁部２２５の下端には、複数の嵌合穴２２７が矢印Ｘ方向に配列されている。第１と第２のカートリッジ１００ａ，１００ｂが装着される際には、各嵌合穴２２７に各カートリッジ１００ａ，１００ｂの下端に設けられている複数の突起部（後述）が挿通される。
【００３９】
この他に、底面壁部２０１には、カートリッジ収容室２１０と配線基板２８０の配置領域との間に、コネクターユニット２５０の下端に向かって突出している隔壁２２８が設けられている（図５）。また、底面壁部２０１には、配線基板２８０の下方に貫通孔２２９が設けられている（図６）。貫通孔２２９は印刷装置１０のガイドレール２８の上に配置される。隔壁２２８および貫通孔２２９の機能については後述する。
【００４０】
以下では、図８〜図１３のいずれかを参照して、レバー部２３０と、コネクターユニット２５０と、配線基板２８０の構成を順に説明する。
【００４１】
（ｉｉ）レバー部の構成
図８，図９を参照して、レバー部２３０の構成を説明する。図８は、ホルダー部２００の正面壁部２０２に取り付けられている状態のレバー部２３０とコネクターユニット２５０と配線基板２８０とを背面側から見たときの上方斜視図である。図９は矢印Ｘの方向に沿って見たときのレバー部２３０の側面図である。図８，図９にはそれぞれ、レバー部２３０の回動軸ＲＸが図示されている。図９には、ホルダー部２００におけるコネクターユニット２５０の配置領域と、ホルダー部２００に第１と第２のカートリッジ１００ａ，１００ｂが装着されたときの各カートリッジ１００ａ，１００ｂの主係合部１２０の配置領域と、が破線で図示されている。また、図９には、吹き出し内に、レバー部２３０の第２の脚部２３１ｂの端部における取付構造が抜き出して図示されている。
【００４２】
レバー部２３０は、下方に向かって開いている矩形枠形状を有しており、第１と第２の脚部２３１ａ，２３１ｂと、架橋部２３２と、を有する。第１と第２の脚部２３１ａ，２３１ｂは、ホルダー部２００において底面壁部２０１から矢印Ｚの方向に延伸している。第１と第２の脚部２３１ａ，２３１ｂはほぼ同一の形状を有しており、矢印Ｘの方向に並列に配列されている。架橋部２３２は、矢印Ｘの方向に延伸している部位であり、第１と第２の脚部２３１ａ，２３１ｂの上端に架橋されている。本実施形態の架橋部２３２は係合部に相当し、電気的接続部の保護性を高める機能を有しているが、その詳細は後述する。
【００４３】
レバー部２３０の各脚部２３１ａ，２３１ｂの下端には矢印Ｘの方向においてそれぞれ外側に向かって突起する第１凸部２３５ａと、内側に向かって突起している第２凸部２３５ｂとが設けられている。レバー部２３０は、各脚部２３１ａ，２３１ｂの各第１凸部２３５ａが正面壁部２０２の下端に設けられている嵌合穴２９０に嵌合することによって取り付けられている（図９の吹き出し内）。これによって、レバー部２３０は、各第１凸部２３５ａの中心軸を回動軸ＲＸとして前後方向に回動移動可能である。
【００４４】
各脚部２３１ａ，２３１ｂの下端には付勢機構２３９が設けられている。本実施形態では、付勢機構２３９はトーションばねによって構成されており、各脚部２３１ａ，２３１ｂの第２凸部２３５ｂに取り付けられている。レバー部２３０は、付勢機構２３９によって、カートリッジ収容室２１０に向かって付勢された状態で所定の回動角度で静止するように係止されている。レバー部２３０は、カートリッジ収容室２１０から離れる方向の外力によって回動移動した後、当該外力が解除されたときには、付勢機構２３９の付勢力によって、前記の初期位置に戻る。
【００４５】
架橋部２３２は、当接部２３６と、操作部２３８と、を有する。当接部２３６は、架橋部２３２において、矢印Ｙの逆方向側（カートリッジ収容室２１０側）の端部に位置している。当接部２３６は、カートリッジ収容室２１０側の端部の下側の少なくとも一部が、カートリッジ１００の主係合部１２０（後述）の少なくとも一部に当接する。当接部２３６の当接によって、カートリッジ１００の主係合部１２０は、矢印Ｚの方向に係合され、カートリッジ１００の主係合部１２０は、ホルダー部２００から離れる方向への移動が制限される。
【００４６】
本実施形態では、矢印Ｚの方向は、レバー部２３０の架橋部２３２がカートリッジ１００の主係合部１２０に係合する方向に一致し、第１の方向に相当する。本明細書において「係合する方向」とは、係合する対象に対して係り合う方向であり、当該対象物に対する係合によって移動が制限される方向を意味し、係合する対象に対して係合力を発生させる方向であるとも解釈できる。
【００４７】
操作部２３８は、架橋部２３２において、矢印Ｙの方向側（前方側）の端部に位置しており、当接部２３６から上方に向かって曲折している部位である。ユーザーは、操作部２３８に指先を掛けて引くことによってレバー部２３０を前方に向かって容易に回動移動させることができる。
【００４８】
各脚部２３１ａ，２３１ｂは、ほぼ平板状に構成されており、矢印Ｙ，Ｚの方向によって規定される平面と平行に配置されている。各脚部２３１ａ，２３１ｂは、回動軸となる下端部より上側において矢印Ｙの方向における幅が上方に向かって拡大している。各脚部２３１ａ，２３１ｂは、架橋部２３２に近い上方の部位に、外周端部がカートリッジ収容室２１０（図５）に近づくように延出している延出部２３４が形成されている。
【００４９】
ここで、コネクターユニット２５０は第１と第２の脚部２３１ａ，２３１ｂの間に配置されている（図９）。コネクターユニット２５０はカートリッジ１００の回路基板（後述）と対応する傾斜角（例えば矢印Ｚ方向に対して１０°〜４５°）を有する状態で、レバー部２３０とは独立して、ホルダー部２００の正面壁部２０２に固定されている。
【００５０】
レバー部２３０の延出部２３４は、ホルダー部２００にカートリッジ１００が装着されていない初期状態においては、その外周端部がコネクターユニット２５０の上段端子部２５３（後述）よりもカートリッジ収容室２１０に近い位置にある。また、延出部２３４は、カートリッジ１００の装着方向である上方（矢印Ｚの方向）に延出している。延出部２３４によって、ユーザーの指先が上段端子部２５３に接触して脂分などの異物が付着しまうことが抑制される。
【００５１】
（ｉｉｉ）コネクターユニットの構成
図１０〜図１２を参照して、コネクターユニット２５０の構成を説明する。図１０はコネクターユニット２５０の後方側の面を示す概略斜視図である。図１１はコネクターユニット２５０の前方側の面を示す概略斜視図である。図１２は、図１０に示すＡ−Ａ切断におけるコネクターユニット２５０の概略断面図である。コネクターユニット２５０は、略平板状の形状を有しており、後方側の面２５１と、前方側の面２５２と、を有している。以下では、後方側の面２５１を「端子部表面２５１」と呼び、前方側の面２５２を「端子部裏面２５２」と呼ぶ。
【００５２】
端子部表面２５１（図１０）はカートリッジ収容室２１０側に向いている面である。端子部表面２５１には、上段端子部２５３と下段端子部２５４が設けられている。上段端子部２５３は、矢印Ｘの方向に配列された複数の端子２６１〜２６４を有している。下段端子部２５４は、上段端子部２５３より下方に位置しており、矢印Ｘの方向に配列された複数の端子２６５〜２６９を有している。端子部表面２５１の各端子２６１〜２６９は、カートリッジ１００がホルダー部２００に装着されたときに、カートリッジ１００が有する回路基板（後述）の対応する各端子と直接的に接触する。端子部表面２５１の各端子２６１〜２６９は、第１接点に相当する。
【００５３】
第１と第２の端子２６１，２６２はそれぞれ、上段端子部２５３において矢印Ｘの方向の両端に配置されている。第３と第４の端子２６３，２６４は第１と第２の端子２６１，２６２の間において矢印Ｘの方向に順に配置されている。第５と第６の端子２６５，２６６はそれぞれ下段端子部２５４において矢印Ｘの方向の両端に配置されている。第７と第８と第９の端子２６７，２６８，２６９は、第５と第６の端子２６５，２６６の間において、矢印Ｘの方向に順に配置されている。
【００５４】
本実施形態では各端子２６１〜２６９は端子部表面２５１において矢印Ｚの方向に平行に延びている複数のスリット２５７から突出している略三角形状の金属板によって構成されている。各端子２６１〜２６９は、その厚み方向が矢印Ｘの方向と一致するように並列に配列されている。各端子２６１〜２６９は、その頂点においてカートリッジ１００の回路基板の各端子（後述）に接触する。これによって、各端子２６１〜２６９がカートリッジ１００の回路基板の各端子に付与する押圧力が高められるため、電気的接続性が向上する。
【００５５】
第１と第２の端子２６１，２６２は印刷装置１０がカートリッジ１００のホルダー部２００に対する装着を検出するために用いられる（詳細は後述）。第１と第２の端子２６１，２６２は隣り合う端子の数が少ない矢印Ｘの方向における両端に配置されているため、他の端子との短絡の発生が抑制されている。また、第１と第２の端子２６１，２６２は、レバー部２３０の第１と第２の脚部２３１ａ，２３１ｂが有する延出部２３４によって保護されており、カートリッジ１００側の端子との接触不良の発生が抑制されている。
【００５６】
第３の端子２６３は、接地電極であり、カートリッジ１００の記憶装置（後述）に低電位の基準電位を供給可能な低電位端子に相当する。第４の端子２６４は、電源端子であり、カートリッジ１００の記憶装置に高電位の電源電位を供給可能な高電位端子に相当する。第５と第６の端子２６５，２６６は、第１と第２の端子２６１，２６２と同様に、印刷装置１０がホルダー部２００に対するカートリッジ１００の装着を検出するために用いられる。
【００５７】
第７の端子２６７は、カートリッジ１００の記憶装置にリセット信号を供給するためのリセット端子である。第８の端子２６８は、カートリッジ１００の記憶装置に印刷装置１０からクロック信号を供給するためのクロック端子である。第９の端子２６９は、カートリッジ１００の記憶装置との間でデータ信号のやりとりを行うためのデータ端子である。印刷装置１０は、第８の端子２６８を介して供給するクロック信号に基づいて、第９の端子２５９を介したシリアル転送によって、カートリッジ１００の記憶装置との間でデータをやりとりする。なお、第３の端子２６３、第４の端子２６４、第７の端子２６７、第８の端子２６８、第９の端子２６９の配置構成は上述の構成例に限られず、適宜変更可能である。
【００５８】
端子部裏面２５２（図１１）には、端子部表面２５１と同様に、上段端子部２５５と下段端子部２５６が設けられている。上段端子部２５５は、矢印Ｘの方向に配列された複数の端子２７１〜２７４を有している。下段端子部２５６は、上段端子部２５５より下方に位置しており、矢印Ｘの方向に配列された複数の端子２７５〜２７９を有している。端子部裏面２５２の各端子２７１〜２７９は、端子部表面２５１の各端子２６１〜２６９と同様に、端子部裏面２５２のスリット２５７から突出している略三角形状の金属板によって構成されている。端子部裏面２５２の各端子２７１〜２７９は配線基板２８０の電極部（後述）に接触して電気的に接続される。端子部裏面２５２の各端子２７１〜２７９は第２接点に相当する。
【００５９】
第１と第２の端子２７１，２７２はそれぞれ、上段端子部２５５において矢印Ｘの方向の両端に配置されている。第３と第４の端子２７３，２７４は第１と第２の端子２６１，２６２の間において矢印Ｘの方向に順に配置されている。第５と第６の端子２７５，２７６はそれぞれ下段端子部２５６において矢印Ｘの方向の両端に配置されている。第７と第８と第９の端子２７７，２７８，２７９は、第５と第６の端子２６５，２６６の間において、矢印Ｘの方向に順に配置されている。
【００６０】
端子部表面２５１の各端子２６１〜２６９（図１０）と端子部裏面２５２の各端子２７１〜２７９（図１１）とは、各面２５１，２５２において対応する配置位置にあるもの同士が板状導電部２５８（図１２）を介して接続されている。板状導電部２５８は弾性変形部に相当し、板状の金属部材によって構成されている。板状導電部２５８は、２つの延伸部位２５８ａ，２５８ｂと、折返部位２５８ｔと、を有している。２つの延伸部位２５８ａ，２５８ｂはそれぞれ、端子部表面２５１と端子部裏面２５２のそれぞれにおいて、各端子２６１〜２６９，２７１〜２７９から下端に向かって延伸している部位である。折返部位２５８ｔは、コネクターユニット２５０の下端において各延伸部位２５８ａ，２５８ｂが折り返して連結している部位である。各端子２６１〜２６９，２７１〜２７９と板状導電部２５８とがコネクターユニット２５０の導電部に相当する。
【００６１】
板状導電部２５８は、下端の折返部位２５８ｔにおいてコネクターユニット２５０に固定されており、端子部表面２５１および端子部裏面２５２のそれぞれにおける延伸部位２５８ａ，２５８ｂの間には空間ＳＰが形成されている。板状導電部２５８は、この構成によって、コネクターユニット２５０の厚み方向に弾性力を有する板バネとして機能し、各端子２６１〜２６９，２７１〜２７９は、板状導電部２５８によってそれぞれの突出方向（コネクターユニット２５０の厚み方向）に沿って付勢されている。この付勢によって、コネクターユニット２５０の各端子２６１〜２６９，２７１〜２７９は対応する端子に対する接触性が高められており、電気的接続性が高められている。
【００６２】
（ｉｖ）配線基板の構成
図１３は、配線基板２８０の後方側の面を示す概略図である。図１３では、各電極２９１〜２９９における接触部ＣＰａを破線で図示してある。配線基板２８０は長方形に近い形状を有しており、矢印Ｘの方向の幅が矢印Ｚの方向の幅よりも長い。配線基板２８０は、ホルダー部２００において、第１と第２のカートリッジ１００ａ，１００ｂの両方の第４壁部１０４にコネクターユニット２５０を挟んで対向するように配置される（図７，図８）。
【００６３】
配線基板２８０の第１の面２８１は、コネクターユニット２５０の端子部裏面２５２と対向する。その反対側の第２の面２８２は正面壁部２０２と対向する。配線基板２８０の下端２８８はレバー部２３０の下端およびコネクターユニット２５０の下端とほぼ同じ位置にある。また、配線基板２８０は、コネクターユニット２５０の端子部裏面２５２に対してほぼ平行になるように、矢印Ｚの方向に対して傾斜角を有して配置される。
【００６４】
配線基板２８０は、第１の面２８１側に、第１と第２の電極部２８３ａ，２８３ｂと、ケーブル接続部２８５と、を有する。第１と第２の電極部２８３ａ，２８３ｂは、矢印Ｚの方向において配線基板２８０の第２端部に相当する下端２８８よりも第１端部に相当する上端２８９に寄った位置に設けられている。第１と第２の電極部２８３ａ，２８３ｂは、矢印Ｘの方向に配列されている。第１の電極部２８３ａは、第１のカートリッジ１００ａに対応しているコネクターユニット２５０と電気的に接続する。第２の電極部２８３ｂは、第２のカートリッジ１００ｂに対応しているコネクターユニット２５０と電気的に接続する。
【００６５】
第１と第２の電極部２８３ａ，２８３ｂは互いに同じ構成を有しており、それぞれ、上段電極列２８６と、下段電極列２８７と、を有する。上段電極列２８６は、矢印Ｘの方向に配列された複数の電極２９１〜２９４を有している。上段電極列２８６の各電極２９１〜２９４は、コネクターユニット２５０の端子部裏面２５２（図１１）に設けられている上段端子部２５５の各端子２７１〜２７４のうちの対応する１つと接触部ＣＰａにおいて接触する。
【００６６】
下段電極列２８７は、上段電極列２８６より下方に位置しており、矢印Ｘの方向に配列された複数の電極２９５〜２９９を有している。下段電極列２８７の各電極２９５〜２９９は、コネクターユニット２５０の端子部裏面２５２に設けられている下段端子部２５６の各端子２７１〜２７４のうちの対応する１つと接触部ＣＰａにおいて接触する。なお、配線基板２８０の各電極２９１〜２９９と、コネクターユニット２５０の各端子２７１〜２７９とは、末尾の符号の数字が同じもの同士が対応して接触し合う。
【００６７】
ケーブル接続部２８５は第２の電極部２８３ｂ側の端部に設けられている。第１と第２の電極部２８３ａ，２８３ｂの各電極２９１〜２９９は、第２の面２８２側に設けられている配線層（図示は省略）を介して、ケーブル接続部２８５に電気的に接続されている。ケーブル接続部２８５は、例えばフレキシブルフラットケーブルコネクタ（ＦＦＣケーブル）を介して印刷装置１０の電気系統（図示は省略）に接続される。以上のように、カートリッジ１００はホルダー部２００に装着されたときに、コネクターユニット２５０および配線基板２８０を介して印刷装置１０と電気的に接続される。
【００６８】
［第１のカートリッジの構成］
図１４〜図１６を参照して第１のカートリッジ１００ａの構成の詳細を説明する。図１４は第１のカートリッジ１００ａの上方斜視図である。図１４は第１のカートリッジ１００ａの下方斜視図である。図１６は、図１４に示すＢ−Ｂ切断における第１のカートリッジ１００ａの概略断面図である。なお、図１６では、インク室１０８内の詳細な構成の図示は省略されている。
【００６９】
第１のカートリッジ１００ａは、インクを収容するためのインク室１０８（図１６）を囲む外装部を構成する６個の壁部１０１〜１０６を有している。第１壁部１０１（図１５）は、ホルダー部２００に装着されたときに、ホルダー部２００の底面壁部２０１と対向する底面を構成する。第１壁部１０１の中央には、インク室１０８に連通するインク供給口１１０が設けられている。インク供給口１１０は、第１のカートリッジ１００ａがホルダー部２００に装着されたときに、ホルダー部２００のインク受入部２１１に接続される。
【００７０】
第２壁部１０２（図１４）は、第１壁部１０１と対向する壁部であり、第１のカートリッジ１００ａの上面を構成する。第２壁部１０２は、第１のカートリッジ１００ａの本体から分離可能な蓋体１０２ｃ（図１６）によって構成されている。第２壁部１０２は、インク室１０８にインクを充填するための貫通孔であるインク受入口１１５と、インク室１０８に外気を導入するための空気流路溝１１６と、それらを上方から封止するフィルム状のシール部材１１７と、を有している。第２壁部１０２は、第４壁部１０４と隣接する端部の中央に、矢印Ｙの方向に延びて延在し、主係合部１２０の一部を構成している延在部１１３を有している。本明細書において「延在」とは、切れ間なく連続して延びていることを意味する。
【００７１】
第３壁部１０３（図１６）は第１のカートリッジ１００ａの背面を構成する壁部であり、第１のカートリッジ１００ａがホルダー部２００に装着されたときにはホルダー部２００の背面壁部２０３と対向する（図４）。第３壁部１０３の下端には、矢印Ｙに沿った方向に突起する複数の突起部１１４が設けられている。複数の突起部１１４はそれぞれ、矢印Ｘの方向における両端に配列されている。複数の突起部１１４は第１のカートリッジ１００ａがホルダー部２００に装着されるときにホルダー部２００の背面壁部２０３側の下端に設けられている嵌合穴２２７（図４，図７）に挿通されて係合する。
【００７２】
第４壁部１０４（図１４）は、第１のカートリッジ１００ａの正面を構成する壁部であり、第１のカートリッジ１００ａがホルダー部２００に装着されたときにはホルダー部２００の正面壁部２０２（図５）と対向する。第４壁部１０４には、ホルダー部２００のレバー部２３０に係合される主係合部１２０が設けられている。主係合部１２０は被係合部に相当する。主係合部１２０は、矢印Ｚの方向において上方に寄った位置（第１壁部１０１よりも第２壁部１０２に近い位置）であって、矢印Ｘ方向におけるほぼ中央の位置に設けられている。
【００７３】
主係合部１２０は、第２壁部１０２からわずかに下降しつつ前方に延出している舌片状の庇部として形成されている。主係合部１２０の前方端部は、中央において局所的に凹部１２２が設けられており、凹部１２２が形成する空間によって隔てられて２つに分離されている。すなわち、主係合部１２０の前方端部は、矢印Ｘの方向に順に、第１部分である第１庇部１２１と、凹部１２２と、第２部分である第２庇部１２３と、が配列された構成を有している。第１庇部１２１と第２庇部１２３とはそれぞれ、ホルダー部２００のレバー部２３０と係合するときには、その上面がレバー部２３０の当接部２３６（図９）の下側と当接する。なお、主係合部１２０は凹部１２２を設けない構成であっても良い。
【００７４】
主係合部１２０の下方には、印刷装置１０との間で電気的信号のやりとりを行うための回路基板１３０が配置されている。回路基板１３０は、端子部１３１を有する表面が下方に向くように、例えば矢印Ｚ方向に対して１０°〜４５°の傾斜角を有して第４壁部１０４に固定されている。主係合部１２０の第１庇部１２１と第２庇部１２３の下面にはそれぞれ、下方に並列に垂下している第１側壁部１２５と第２側壁部１２６とが設けられている。第１側壁部１２５と第２側壁部１２６とはそれぞれ、回路基板１３０の両側において回路基板１３０の表面より前方に突出しており、ユーザーが回路基板１３０の端子部１３１に誤って触れてしまうことなどを抑制する。なお、回路基板１３０は矢印Ｚの方向に対して上記の傾斜角を有するように固定されていなくても良いし、その形状も平板な形状に限定されることはない。
【００７５】
回路基板１３０は、端子部１３１と、記憶装置１３２と、を備えている（図１６）。端子部１３１は、ホルダー部２００のコネクターユニット２５０の各端子２６１〜２６９（図１０）と接触して電気的に導通する複数の端子を有している。回路基板１３０の端子部１３１が有する複数の端子の配列構成の詳細は後述する。記憶装置１３２は、例えば、フラッシュＲＯＭなどのリライト可能な不揮発性メモリによって構成される。記憶装置１３２は、第１のカートリッジ１００ａに収容されているインクの色や残量など、インクに関する情報を不揮発的に記憶している。
【００７６】
第５壁部１０５と第６壁部１０６（図１４，図１５）とは、第１のカートリッジ１００ａの側面を構成する壁部である。第５壁部１０５と第６壁部１０６の表面には、矢印Ｚの方向に延びるリブ１４１，１４２,１４３が設けられている。各リブ１４１，１４２，１４３は、第１のカートリッジ１００ａがホルダー部２００に装着されるときに、その下端がホルダー部２００の第１副壁部２２１と当接する。これによって、第１のカートリッジ１００ａは、ホルダー部２００に対する装着時にその移動方向が規定されるとともに、ホルダー部２００における配置位置が固定される。
【００７７】
図１７は、回路基板１３０における複数の端子１５１〜１５９の配列構成を示す概略図である。図１７では、各端子１５１〜１５９における接触部ＣＰｂの位置が破線で図示されている。各端子１５１〜１５９は、ホルダー部２００のコネクターユニット２５０の端子部表面２５１における複数の端子２６１〜２６９（図１０）のうちの対応するひとつに接続可能なように上段と下段の２列に分けられて、矢印Ｘの方向に平行な配列方向に配列されている。
【００７８】
第１と第２の端子１５１，１５２はそれぞれ上段の列の両端に配置されている。第３と第４の端子１５３，１５４は第１と第２の端子１５１，１５２の間において矢印Ｘの方向に順に配置されている。第５と第６の端子１５５，１５６はそれぞれ下段の列の両端に配置されている。第７と第８と第９の端子１５７，１５８，１５９は、第５と第６の端子１５５，１５６の間において、矢印Ｘの方向に順に配置されている。各端子１５１〜１５９は、それぞれの接触部ＣＰｂにおいて、コネクターユニット２５０の端子２６１〜２６９のうちの対応するひとつと接触して電気的に導通する。回路基板１３０における各接触部ＣＰｂの配列構成は、前記の各端子１５１〜１５９の配列構成と同様になる。
【００７９】
第１と第２の端子１５１，１５２は、第１のカートリッジ１００ａがホルダー部２００に正しく装着されてコネクターユニット２５０の第１と第２の端子２６１，２６２に接触したときに所定の電圧変化を生じるように構成されている。具体的には、第１と第２の端子１５１，１５２は、回路基板１３０の内部において互いに短絡されている。印刷装置１０は、コネクターユニット２５０の第１の端子２６１を介して回路基板１３０の第１の端子１５１に所定の電圧を印加し、コネクターユニット２５０の第２の端子２６２を介して、回路基板１３０の第２の端子１５２の電圧の変化を検出する。他の端子１５３〜１５９の機能は、上述した対応するコネクターユニット２５０の各端子２６３〜２６９と同様である。なお、各端子１５１〜１５９は上記の構成に限定されることはない。各端子１５１〜１５９は、例えば、上段と下段の二列に配列された構成でなくても良く、それぞれの形状も平板状に構成されていなくても良い。各端子１５１〜１５９は、それぞれの接触部ＣＰｂがコネクターユニット２５０の対応する少なくとも１つの端子２６３〜２６９と電気的に接続可能な構成であれば良い。
【００８０】
［第２のカートリッジの構成］
図１８，図１９を参照して第２のカートリッジ１００ｂの構成を説明する。図１８は第２のカートリッジ１００ｂの上方斜視図である。図１８では、便宜上、第２のカートリッジ１００ｂの内部に形成されているインク室１０８ａ〜１０８ｃが破線で図示されている。図１９は第２のカートリッジ１００ｂの下方斜視図である。図１８〜図１９では、図１４〜図１６において説明した第１のカートリッジ１００ａの構成部と共通する構成部には同じ符号を付してある。第２のカートリッジ１００ｂは、以下に説明する点以外は、第１のカートリッジ１００ａとほぼ同じ構成を有しており、第１のカートリッジ１００ａの各壁部１０１〜１０６に対応する６つの壁部１０１〜１０６を有している。
【００８１】
第２のカートリッジ１００ｂは３色のインクを収容するために、矢印Ｘの方向における幅が第１のカートリッジ１００ａよりも大きく、その内部が３つのインク室１０８ａ〜１０８ｃに仕切られている。第１のインク室１０８ａは、第４壁部１０４に面する前方の領域に形成されている。第２と第３のインク室１０８ｂ，１０８ｃはそれぞれ、第１のインク室１０８ａより後方側の領域を、矢印Ｘの方向に二分することによって形成されている。第２のインク室１０８ｂは第５壁部１０５に面する側に形成されており、第３のインク室１０８ｃは第６壁部１０６に面する側に形成されている。３つのインク室１０８ａ〜１０８ｃにはそれぞれ対応するインク受入口１１５ａ〜１１５ｃが１つずつ設けられている。
【００８２】
第１壁部１０１（図１９）には、各インク室１０８ａ〜１０８ｃに対応する３つのインク供給口１１０ａ〜１１０ｃが設けられている。各インク供給口１１０ａ〜１１０ｃは、第２のカートリッジ１００ｂがホルダー部２００に装着されたときにインク受入部２１２〜２１４（図４）のうちの対応する１つと接続される。第２と第３のインク室１０８ｂ，１０８ｃの境界位置に相当する位置には、矢印Ｙの方向に直線状に延びる溝部１１８が形成されている。溝部１１８は、第２のカートリッジ１００ｂがホルダー部２００に装着されるときにホルダー部２００の第２副壁部２２４（図５）が係合する。
【００８３】
第２のカートリッジ１００ｂでは、主係合部１２０が、第２壁部１０２と隣接する端部の中央より矢印Ｘの逆方向に寄った位置に形成されている。これによって、第１と第２のカートリッジ１００ａ，１００ｂがホルダー部２００に装着されたときに、それぞれの主係合部１２０が近接した位置に隣り合って配列される（図３）。
【００８４】
［電気的接続部の保護のための構成］
以下では、図２０〜図２１を参照して、ホルダー部２００とカートリッジ１００との間の電気的接続部を保護するための構成を説明する。「電気的接続部」とは、電気的接続を実現するための構成要素であるコネクターユニット２５０と配線基板２８０と回路基板１３０のそれぞれあるいは全部を意味するばかりではなく、それらの構成要素間における接触部も意味する。
【００８５】
図２０は、レバー部２３０による電気的接合部の保護を説明するための概略図である。図２０には、図５と同様な斜め上方から見たときのホルダー部２００の全体が図示されており、吹き出し内に、矢印Ｚの逆方向に沿って見たホルダー部２００の正面壁部２０２の近傍部位が抜き出して図示されている。なお、吹き出し内では、レバー部２３０とコネクターユニット２５０についてはその概略的な輪郭線のみが破線で図示されることによって、配線基板２８０の第１の面２８１が露出した状態で図示されている。
【００８６】
上述したように、本実施形態のホルダー部２００では、レバー部２３０の架橋部２３２は、コネクターユニット２５０の上方において架設されている。矢印Ｚの逆方向に沿って見たときに、２つのレバー部２３０の架橋部２３２はそれぞれ、配線基板２８０の第１と第２の電極部２８３ａ，２８３ｂのうちの対応する１つを覆っている（図２０）。すなわち、２つのレバー部２３０の架橋部２３２はそれぞれ、２つのコネクターユニット２５０のうちの対応する１つが有する端子部裏面２５２側の各端子２７１〜２７９を覆っている。
【００８７】
また、本実施形態のホルダー部２００では、矢印Ｘの方向におけるレバー部２３０の幅が、矢印Ｘの方向におけるコネクターユニット２５０の幅よりも大きい。本実施形態において、矢印Ｘの方向は、第１の方向である矢印Ｚの方向と、コネクターユニット２５０からカートリッジ収容室２１０に向かう方向とに交差する第２の方向に相当する。本実施形態においては、第２の方向は、コネクターユニット２５０における複数の端子２６１〜２６９，２７１〜２７９の配列方向でもあり、配線基板２８０における複数の端子２９１〜２６９の配列方向でもある。また、第２の方向は、主走査方向に平行な方向でもあり、レバー部２３０の架橋部２３２が延伸している方向でもある。
【００８８】
このように、２つのレバー部２３０の架橋部２３２はそれぞれ、コネクターユニット２５０と配線基板２８０の接触部が存在している領域の上方を覆うように配置されている。従って、液滴などの異物が当該領域の上方から落下してきた場合であっても、当該異物はレバー部２３０の架橋部２３２によって当該領域の近傍への侵入が遮られる。よって、そうした異物がコネクターユニット２５０と配線基板２８０との接触部に付着してしまうことが抑制される。
【００８９】
図２１は、第１のカートリッジ１００ａが装着されているときのホルダー部２００の正面壁部２０２の近傍の部位（図２０のＣ−Ｃ切断に相当する部位）における概略断面図である。図２１では、第１のカートリッジ１００ａの電気的接続部についてのみ図示されているが、以下の説明は、第２のカートリッジ１００ｂの電気的接続部についても当てはまる。
【００９０】
本実施形態のホルダー部２００では、コネクターユニット２５０と配線基板２８０とが矢印Ｚの方向に対して傾斜角を有して配置されている。従って、矢印Ｚの方向に沿って落下してくる液滴などの異物が、そのままコネクターユニット２５０と配線基板２８０との間の端子同士の接触部に到達してしまうことが抑制されている。特に、本実施形態のホルダー部２００では、レバー部２３０の架橋部２３２がコネクターユニット２５０と配線基板２８０との境界の上端部の上方に位置している。従って、レバー部２３０の架橋部２３２によって、コネクターユニット２５０と配線基板２８０との間に異物が侵入してしまうことがさらに抑制されている。
【００９１】
本実施形態のホルダー部２００では、カートリッジ収容室２１０に対して露出しているコネクターユニット２５０の端子部表面２５１における各端子２６１〜２６９が、板状導電部２５８よりも上側に配置されている。従って、コネクターユニット２５０の端子部表面２５１のいずれかの端子２６１〜２６９に液滴が付着してしまった場合であっても、当該液滴は、重力に従って板状導電部２５８を伝って下方へと移動する。そのため、コネクターユニット２５０の端子部表面２５１に付着した液滴が、スリット２５７を介して端子部裏面２５２側に移動し、コネクターユニット２５０と配線基板２８０との間に侵入してしまうことが抑制されている。
【００９２】
本実施形態のコネクターユニット２５０では、板状導電部２５８の折返部位２５８ｔが下端に配置されていることによって、端子部裏面２５２の各端子２７１〜２７９がコネクターユニット２５０の上端に近い位置に配置されている。これに伴って、配線基板２８０における第１と第２の電極部２８３ａ，２８３ｂにおける各電極２９１〜２９９は配線基板２８０の上端２８９に寄った位置に配置されている。このように、本実施形態のホルダー部２００では、コネクターユニット２５０と配線基板２８０との間の接触点がコネクターユニット２５０および配線基板２８０の下端から離れた位置に配置されている。従って、ホルダー部２００の正面壁部２０２の下端部近傍に伝ってきた液体や堆積している粉塵などがコネクターユニット２５０と配線基板２８０との間の接触点にまで到達してしまうことが抑制される。
【００９３】
本実施形態のホルダー部２００では、カートリッジ収容室２１０と配線基板２８０の配置領域との境界に隔壁２２８が設けられている。そのため、カートリッジ１００のインクがカートリッジ収容室２１０において漏洩してしまった場合であっても、隔壁２２８によって、当該インクが配線基板２８０の配置領域へと侵入してしまうことが抑制される。
【００９４】
本実施形態のホルダー部２００では、装着されているカートリッジ１００の主係合部１２０は、矢印Ｚの方向において、配線基板２８０の少なくとも一部を覆う。また、レバー部２３０の架橋部２３２とカートリッジ１００の主係合部１２０とは互いに係合しあって、回路基板１３０とコネクターユニット２５０と配線基板２８０とを矢印Ｚの方向において覆う。従って、カートリッジ１００が装着されている状態において、ホルダー部２００とカートリッジ１００ａとの間の電気的接続部に上方から異物が侵入してしまうことが抑制されている。
【００９５】
本実施形態のホルダー部２００の底面壁部２０１には、配線基板２８０の下方に貫通孔２２９が設けられている（図６）。従って、カートリッジ収容室２１０側から配線基板２８０側に底面壁部２０１を伝って液体などの異物が移動してきた場合であっても、当該異物は貫通孔２２９を介してホルダー部２００の外部へと排出され、配線基板２８０に付着してしまうことが抑制される。また、本実施形態の印刷装置１０では、ホルダー部２００の前記の貫通孔２２９は、印刷用紙の搬送路上に架設されているガイドレール２８（図２）の上方に配置されている。そのため、貫通孔２２９から排出された異物はガイドレール２８によって受け止められることになり、搬送中の印刷用紙が異物の付着によって汚損してしまうことが抑制される。
【００９６】
以上のように、本実施形態の印刷装置１０が備えるキャリッジ２７のホルダー部２００には、カートリッジ１００との間の電気的接続部への異物の侵入・付着を抑制するための構成が設けられている。従って、そうした異物に起因する電気的接続部における端子間の短絡や、異常電圧・誤信号の発生、接触抵抗の増大などが抑制され、印刷装置１０とカートリッジ１００との間の電気的接続性の低下が抑制される。
【００９７】
B．第２実施形態：
図２２は、本発明の第２実施形態としての印刷装置１０Ａの構成を示す概略図である。図２２では、キャリッジ２７とインク供給部４００およびインク導入管４０１以外の構成部の図示は便宜上省略されている。第２実施形態の印刷装置１０Ａは第１実施形態で説明したのと同じキャリッジ２７を備えており、第１実施形態で説明したのと同じカートリッジ１００が装着される。第２実施形態の印刷装置１０Ａは、カートリッジ１００に対してインクの連続供給が可能に構成されている点以外は、第１実施形態の印刷装置１０の構成とほぼ同じである。
【００９８】
第２実施形態の印刷装置１０Ａは、インク供給部４００と、複数のインク導入管４０１と、を備えている。インク供給部４００は、流体収容容器に相当し、インクを色ごとに貯留するインク容器を有している。複数のインク導入管４０１は、インクの各色に対応しており、インク供給部４００のインク容器と、カートリッジ１００の各色のインク受入口１１５，１１５ａ〜１１５ｃと、を接続している。複数のインク導入管４０１は、例えば、可撓性を有する樹脂性のチューブによって構成される。
【００９９】
第２実施形態の印刷装置１０Ａであれば、第１実施形態の印刷装置１０と同様に、キャリッジ２７が備えるホルダー部２００とカートリッジ１００との間の電気的接続部に対する異物の侵入や付着が抑制される。また、第１実施形態で説明したその他の効果を同様に得ることができる。これに加えて、第２実施形態の印刷装置１０Ａであれば、インク供給部４００からカートリッジ１００にインクが供給されるため、カートリッジ１００の着脱回数を低減することができる。従って、カートリッジ１００の着脱に起因して、ホルダー部２００とカートリッジ１００との間の電気的接続部に、インクなどの異物が侵入・付着することが第１実施形態の印刷装置１０よりも抑制される。
【０１００】
C．変形例：
C1．変形例１：
上記各実施形態の印刷装置１０，１０Ａのキャリッジ２７は、２つのカートリッジ１００ａ，１００ｂを同時に装着可能に構成されている。これに対して、キャリッジ２７は、１つのカートリッジのみを装着可能であるとしても良いし、３つ以上のカートリッジを装着可能に構成されていても良い。
【０１０１】
C2．変形例２：
上記各実施形態の印刷装置１０，１０Ａは、流体供給ユニットであるカートリッジ１００がキャリッジ２７のホルダー部２００に対して着脱可能に構成されている。印刷装置１０，１０Ａは、カートリッジ１００がキャリッジ２７のホルダー部２００に着脱可能に構成されていなくても良く、固定されていても良い。
【０１０２】
C3．変形例３：
上記の各実施形態の印刷装置１０，１０Ａのキャリッジ２７では、電気的接続部を構成するレバー部２３０とコネクターユニット２５０と配線基板２８０とがホルダー部２００の正面壁部２０２側に配置されている。これに対して、レバー部２３０とコネクターユニット２５０と配線基板２８０とは、ホルダー部２００の第１側面壁部２０４側や第２側面壁部２０５側に配置されていても良い。この場合には、矢印Ｙの方向が第２の方向に相当する。また、レバー部２３０とコネクターユニット２５０と配線基板２８０とは、背面壁部２０３側に配置されていても良い。
【０１０３】
C4．変形例４：
上記各実施形態の印刷装置１０，１０Ａのホルダー部２００は、第１と第２の脚部２３１ａ，２３１ｂと、架橋部２３２と、を有する略矩形枠形状を有するレバー部２３０を係合部として備えている。これに対して、レバー部２３０は、略門形の形状に構成されていなくても良い。例えば、レバー部２３０は、第１の脚部２３１ａまたは第２の脚部２３１ｂが省略された逆Ｌ字状の形状を有していても良い。また、架橋部２３２が中央において２つに分離していることによって、第１の脚部２３１ａ側の部位と第２の脚部２３１ｂ側の部位とがそれぞれ独立に回動してカートリッジ１００の主係合部１２０に係合するように構成されていても良い。なお、この構成の場合には、矢印Ｙの方向における位置が揃っている状態における第１の脚部２３１ａの上端部と第２の脚部２３１ｂの上端部との間の矢印Ｘの方向における距離が、係合部の第２の方向における幅に相当する。
【０１０４】
C5．変形例５：
上記各実施形態の印刷装置１０，１０Ａにおいて、レバー部２３０は矢印Ｙの方向に回動可能に構成されている。これに対して、レバー部２３０は回動可能に構成されていなくても良い。レバー部２３０はカートリッジ収容室２１０に向かって直線状にスライド移動して、カートリッジ１００の主係合部１２０に係合する構成を有していても良い。また、レバー部２３０は固定されていても良い。この場合には、カートリッジ１００の主係合部１２０をレバー部２３０の架橋部２３２の下側に滑り込ませて、レバー部２３０と主係合部１２０とを係合させても良い。
【０１０５】
C6．変形例６：
上記の各実施形態のコネクターユニット２５０は、略平板上の形状を有している。これに対して、コネクターユニット２５０は略平板上以外の形状を有していても良い。コネクターユニット２５０は、矢印Ｙの方向に平行な断面の形状が略台形形状になっており、端子部表面２５１と端子部裏面２５２の矢印Ｚの方向に対する角度がそれぞれ異なっていても良い。コネクターユニット２５０は、カートリッジ収容室２１０や配線基板２８０と対向する側が曲面によって構成されていても良い。
【０１０６】
C7．変形例７：
上記の各実施形態のコネクターユニット２５０は、導電部として、略三角形状の各端子２６１〜２６９，２７１〜２７９と、２つの延伸部位２５８ａ，２５８ｂと、折返部位２５８ｔと、を有している板状導電部２５８と、を備えている。これに対して、コネクターユニット２５０の導電部は、他の構成を有していても良い。例えば、各端子２６１〜２６９，２７１〜２７９は略三角形状を有していなくても良い。また、例えば、半球状の凸部として構成されていても良く、平板状の電極として構成されていても良い。また、板状導電部２５８は弾性変形部として構成されていなくても良く、各端子２６１〜２６９，２７１〜２７９は板状導電部２５８の代わりに導電線や印刷された配線パターンによって電気的に接続されていても良い。
【０１０７】
C8．変形例８：
上記の各実施形態の配線基板２８０は、長方形に近い形状を有する平板な基板によって構成されている。これに対して、配線基板２８０は長方形に近い形状を有していなくても良く、正方形に近い形状や台形に近い形状、円形に近い形状などを有していても良い。また、配線基板２８０は可撓性を有する部材によって構成されていても良く、湾曲した状態でホルダー部２００に配置されていても良い。配線基板２８０の第１と第２の電極部２８３ａ，２８３ｂは上端２８９に寄った位置に形成されていなくても良く、矢印Ｚの方向における中央の位置や下端２８８に寄った位置に形成されていても良い。配線基板２８０は、第１の電極部２８３ａを有する第１の配線基板と第２の電極部２８３ｂを有する第２の配線基板とに分離されて構成されても良い。
【０１０８】
C9．変形例９：
上記の各実施形態のホルダー部２００では、コネクターユニット２５０および配線基板２８０は端子を有する面が矢印Ｚの方向に対して傾斜角を有して配置されている。これに対して、コネクターユニット２５０および配線基板２８０は端子を有する面が矢印Ｚの方向にほぼ平行になるように配置されても良いし、矢印Ｚの方向に対してほぼ直交するように配置されても良い。
【０１０９】
C10．変形例１０：
上記の各実施形態のコネクターユニット２５０および配線基板２８０はそれぞれ、９種類の端子を備え、９カ所の接触点を有している。これに対して、コネクターユニット２５０および配線基板２８０が有する端子の種類は９種類よりも少なくても良く、例えば、１種類でも良い。あるいは、コネクターユニット２５０および配線基板２８０が有する端子の種類は９種類よりも多くても良く、例えば、１０種類であっても良い。コネクターユニット２５０と配線基板２８０との間の接触点の数は、端子の種類の数に応じて増減しても良い。また、上記の各実施形態のコネクターユニット２５０および配線基板２８０では複数の端子が上下２列に配列されており、接触部ＣＰａが上下２列に配列されている。これに対して、コネクターユニット２５０および配線基板２８０では複数の端子および接触部ＣＰａが１列のみ配列されていても良いし、上下に３列以上配列されていても良い。また、複数の端子および接触部ＣＰａは列をなしていなくても良く、コネクターユニット２５０および配線基板２８０の面上においてランダムに配置されていても良い。
【０１１０】
C11．変形例１１：
上記の各実施形態のカートリッジ１００は、ホルダー部２００のレバー部２３０が係合する被係合部として主係合部１２０を備えている。これに対して、カートリッジ１００は、主係合部１２０とは異なる構成の被係合部を備えていても良い。カートリッジ１００の被係合部は、例えばカートリッジ１００の筐体表面の段差部や溝部、凹部、穴部として構成されていても良い。この場合に、カートリッジ１００がホルダー部２００に装着されているときに、主係合部１２０は、矢印Ｚの方向において、コネクターユニット２５０や配線基板２８０の上方に位置していなくても良い。
【０１１１】
C12．変形例１２：
上記の各実施形態のカートリッジ１００は、６つの壁部１０１〜１０６を有する略直方体形状の筐体を備えている。これに対して、カートリッジ１００は、６つの壁部１０１〜１０６を有する略直方体形状の筐体を備えていなくても良い。カートリッジ１００は、フレームで構成された枠内にインクが収容された可撓性の袋状部材が保持されている構成であっても良い。
【０１１２】
C13．変形例１３：
上記の各実施形態では、コネクターユニット２５０の端子部表面２５１における各端子２６１〜２６９はカートリッジ１００の回路基板１３０における各電極１５１〜１５９に直接的に接触している。また、コネクターユニット２５０の端子部裏面２５２における各端子２７１〜２７９は配線基板２８０における各電極２９１〜２９９に直接的に接触している。これに対して、コネクターユニット２５０の端子部表面２５１における各端子２６１〜２６９はカートリッジ１００の回路基板１３０における各電極１５１〜１５９に対して、電気的に接触可能であれば良く、他の導電部材を介して接触しても良い。同様に、コネクターユニット２５０の端子部裏面２５２における各端子２７１〜２７９は、配線基板２８０における各電極２９１〜２９９に対して、他の導電部材を介して接触しても良い。
【０１１３】
C14．変形例１４：
本発明の流体噴射装置は、上記各実施形態および変形例で説明したインクジェットプリンターである印刷装置１０，１０Ａ以外の態様においても実現可能である。本発明の流体噴射装置は、例えば、洗浄液などの液体を洗浄対象に噴射して洗浄する高圧洗浄装置として構成されても良い。本発明の流体噴射装置は、例えば、流体として粉体や気体を噴射する粉体噴射装置、気体噴射装置として構成されていても良い。また、本発明の流体噴射装置は、流体を霧状にして噴射する噴霧装置として構成されていても良い。
【０１１４】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１１５】
１０，１０Ａ…印刷装置
１１…筐体
１２…給紙口
１３…上面カバー
１４…排紙口
１６…操作部
２０…本体部
２１…制御部
２２…搬送部
２３…印刷部
２５…搬送ローラー
２７…キャリッジ
２８…ガイドレール
１００ａ，１００ｂ…インクカートリッジ
１０１〜１０６…壁部
１０２ｃ…蓋体
１０８，１０８ａ〜１０８ｃ…インク室
１１０，１１０ａ〜１１０ｃ…インク供給口
１１３…延在部
１１４…突起部
１１５，１１５ａ〜１１５ｃ…インク受入口
１１６…空気流路溝
１１７…シール部材
１１８…溝部
１２０…主係合部
１２１…第１庇部
１２２…凹部
１２３…第２庇部
１２５…第１側壁部
１２６…第２側壁部
１２７…端面
１３０…回路基板
１３１…端子部
１３２…記憶装置
１５１〜１５９…端子
１９０…印刷ヘッド
２００…ホルダー部
２０１〜２０５…壁部
２０６…外周壁部材
２０７…プレート部材
２１０…カートリッジ収容室
２１１〜２１４…インク受入部
２１５…シール部
２１７…付勢機構
２２１…第１副壁部
２２４…第２副壁部
２２５…第３副壁部
２２７…嵌合穴
２２８…隔壁
２２９…貫通孔
２３０…レバー部
２３１ａ，２３１ｂ…脚部
２３２…架橋部
２３４…延出部
２３５ａ，２３５ｂ…凸部
２３６…当接部
２３８…操作部
２３９…付勢機構
２５０…コネクターユニット
２５１…端子部表面
２５２…端子部裏面
２５３…上段端子部
２５４…下段端子部
２５５…上段端子部
２５６…下段端子部
２５７…スリット
２５８…板状導電部
２５８ａ，２５８ｂ…延伸部位
２５８ｔ…折返部位
２６１〜２６９，２７１〜２７９…端子
２８０…配線基板
２８１…第１の面
２８２…第２の面
２８３ａ，２８３ｂ…第１と第２の電極部
２８５…ケーブル接続部
２８６…上段電極列
２８７…下段電極列
２８８…下端
２８９…上端
２９０…嵌合穴
２９１〜２９９…電極
３００…カバー部材
４００…インク供給部
４０１…インク導入管
ＣＰａ，ＣＰｂ…接触部
【図１】
2016007791.tif 000003
【図２】
2016007791.tif 000004
【図３】
2016007791.tif 000005
【図４】
2016007791.tif 000006
【図５】
2016007791.tif 000007
【図６】
2016007791.tif 000008
【図７】
2016007791.tif 000009
【図８】
2016007791.tif 000010
【図９】
2016007791.tif 000011
【図１０】
2016007791.tif 000012
【図１１】
2016007791.tif 000013
【図１２】
2016007791.tif 000014
【図１３】
2016007791.tif 000015
【図１４】
2016007791.tif 000016
【図１５】
2016007791.tif 000017
【図１６】
2016007791.tif 000018
【図１７】
2016007791.tif 000019
【図１８】
2016007791.tif 000020
【図１９】
2016007791.tif 000021
【図２０】
2016007791.tif 000022
【図２１】
2016007791.tif 000023
【図２２】
2016007791.tif 000024